(57)【特許請求の範囲】
【請求項１】
地震発生時にかごを最寄階に停止する地震時管制運転が完了すると、地震復旧診断運転が開始されるエレベータの地震復旧運転装置において、
エレベータ制御盤に設けられた地震復旧診断運転制御回路と、
エレベータ制御盤に設けられた保守中スイッチ用インターフェース回路と、
エレベータ制御盤に設けられた遠隔監視装置用インターフェース回路と、
エレベータ制御盤に設けられ、地震復旧診断運転開始後、現場に到着した専門技術者によりＯＮ操作されたら保守中スイッチ用インターフェース回路を通して地震復旧診断運転を強制的に中止する保守中スイッチと、
地震復旧診断運転開始後、携帯している専門技術者により操作され、遠隔監視装置を経由して遠隔監視装置用インターフェース回路を通して地震復旧診断運転を強制的に中止する携帯可能な保守用端末と、
を備えたことを特徴とするエレベータの地震復旧運転装置。
【請求項２】
保守用端末は、表示部に微速診断、手動速診断、全速診断等の状態を表示して、地震復旧診断運転を中止するかどうかを判断することを特徴とする請求項１記載のエレベータの地震復旧運転装置。
【請求項３】
保守用端末は、表示部に地震復旧の診断運転開始後の時間を表示して、地震復旧診断運転を中止するかどうかを判断することを特徴とする請求項１記載のエレベータの地震復旧運転装置。
【請求項４】
遠隔監視センターから公衆回線及び遠隔監視装置を経由して遠隔監視装置用インターフェース回路を通して地震復旧診断運転を強制的に中止することを特徴とする請求項１記載のエレベータの地震復旧運転装置。
【請求項５】
エレベータ制御盤に設けられた管制運転入力装置用インターフェース回路と、
管制運転入力装置用インターフェース回路を通して火災・冠水等の管制運転動作の信号を発生して地震復旧診断運転を強制的に中止する管制運転入力装置と、
を備えたことを特徴とする請求項１記載のエレベータの地震復旧運転装置。
【発明の詳細な説明】
【技術分野】
【０００１】
この発明は、エレベータの地震自動復旧の診断運転において、外部からの信号により強制的に中止することを可能とするエレベータの地震復旧運転装置に関するものである。
【背景技術】
【０００２】
エレベータの地震復旧運転装置においては、診断運転を途中で中止することができないため、専門技術者が現場に到着しても、安全確認による本復旧作業を即座に実施することができず、本復旧までに時間がかかってしまう。また、他の管制運転が発生した場合、エレベータの地震自動復旧の診断運転を実施し続けるという問題が発生する。
また、エレベータの乗り心地の診断運転中に他の管制運転が発生した場合、診断運転を中止するという従来技術が知られている（例えば、特許文献１参照）。
【０００３】
【特許文献１】特開２０００−３４４４３６号公報
【発明の開示】
【発明が解決しようとする課題】
【０００４】
上記したように、従来のエレベータの地震復旧運転装置では、診断運転を途中で中止することができないため、折角、専門技術者が現場に到着しても、安全確認による本復旧作業を即座に実施することができず、本復旧までに時間がかかってしまう。また、他の管制運転が発生した場合、エレベータの地震自動復旧の診断運転を実施し続けるという問題が発生する。また、特許文献１に記載されたものには、エレベータの地震自動復旧運転中に中止する技術については開示されていない。
【０００５】
この発明は、上述のような課題を解決するためになされたもので、エレベータの地震自動復旧の診断運転において、外部からの信号により強制的に地震復旧診断運転を中止できるようにしたエレベータの地震復旧運転装置を提供するものである。
【課題を解決するための手段】
【０００６】
この発明に係るエレベータの地震復旧運転装置においては、地震発生時にかごを最寄階に停止する地震時管制運転が完了すると、地震復旧診断運転が開始されるものにおいて、エレベータ制御盤に設けられた地震復旧診断運転制御回路と、エレベータ制御盤に設けられた保守中スイッチ用インターフェース回路と、エレベータ制御盤に設けられた遠隔監視装置用インターフェース回路と、エレベータ制御盤に設けられ、地震復旧診断運転開始後、現場に到着した専門技術者によりＯＮ操作されたら保守中スイッチ用インターフェース回路を通して地震復旧診断運転を強制的に中止する保守中スイッチと、地震復旧診断運転開始後、携帯している専門技術者により操作され、遠隔監視装置を経由して遠隔監視装置用インターフェース回路を通して地震復旧診断運転を強制的に中止する携帯可能な保守用端末とを備えたものである。
【０００７】
また、保守用端末は、表示部に微速診断、手動速診断、全速診断等の状態を表示して、地震復旧診断運転を中止するかどうかを判断するものである。
【０００８】
また、保守用端末は、表示部に地震復旧の診断運転開始後の時間を表示して、地震復旧診断運転を中止するかどうかを判断するものである。
【０００９】
また、遠隔監視センターから公衆回線及び遠隔監視装置を経由して遠隔監視装置用インターフェース回路を通して地震復旧診断運転を強制的に中止するものである。
【００１０】
また、エレベータ制御盤に設けられた管制運転入力装置用インターフェース回路と、管制運転入力装置用インターフェース回路を通して火災・冠水等の管制運転動作の信号を発生して地震復旧診断運転を強制的に中止する管制運転入力装置とを備えたものである。
【発明の効果】
【００１１】
この発明によれば、地震自動復旧の診断運転実施中に専門技術者が現場に到着し、安全確認を実施して本復旧作業を行いたい場合や、他の管制運転が動作した場合等、地震自動復旧の診断運転を中止したい場合に、即座に中止することができ、地震発生時に超多忙となる専門技術者を無駄に待たせる必要がなくなるという効果がある。
【発明を実施するための最良の形態】
【００１２】
実施の形態１．
図１はこの発明の実施の形態１におけるエレベータの地震復旧運転装置を示すシステム構成図、図２はこの発明の実施の形態１におけるエレベータの地震復旧運転装置の動作を説明するためのフローチャートである。
【００１３】
図１において、１はエレベータの制御盤、２は制御盤１に設けられた地震復旧診断運転制御回路、３は地震復旧診断運転制御回路２を例えば手動操作によりＯＮ／ＯＦＦすることができる保守中スイッチで、地震復旧診断運転中止手段の一つであり、地震復旧診断運転開始後、現場に到着した専門技術者により、ＯＮ（保守中）となったら、地震復旧診断運転制御回路２は地震復旧運転を中止する。４は保守中スイッチ３と地震復旧診断運転制御回路２の間に設けられた保守中スイッチ用インターフェース回路、５は制御盤１に設けられた遠隔監視装置用インターフェース回路、６は遠隔監視装置、７は遠隔監視装置６に接続されるパソコン、携帯電話等からなる保守用端末で、地震復旧診断運転中止手段の一つである。上記保守用端末７は、その表示部に微速診断、手動速診断、全速診断等の状態を表示して、地震復旧運転を中止するかどうかを判断する。また、地震復旧の診断運転開始後の時間を保守用端末７に表示し、地震復旧運転を中止するかどうかを判断する。８は公衆回線、９は保守会社等に設置された遠隔監視センターで、地震復旧診断運転中止手段の一つである。１０は制御盤１に設けられた管制運転入力装置用インターフェース回路、１１は地震復旧診断運転中止手段の一つである管制運転入力装置で、例えば火災・冠水等の管制運転動作の指令信号を発生する。
【００１４】
次に、エレベータの地震復旧診断運転を外部からの信号により強制的に中止する場合の動作フローについて、図２により説明する。
地震が発生すると、地震感知器が動作してかごを最寄階に停止する地震時管制運転が行われる。地震時管制運転が完了すると、先ず、エレベータの地震復旧診断運転が開始される。この地震復旧診断運転は一旦開始されると、終了するまでに時間がかかり、折角、専門技術者が現場に到着しても、安全確認による本復旧作業を即座に実施することができず、本復旧までに時間がかかってしまう。特に、高層ビルにおいては大きな問題となる。この発明によれば、地震復旧診断運転開始後、現場に到着した専門技術者の手動操作により保守中スイッチ３がＯＮ（保守中）となったら（ステップＳ１）、保守中スイッチ用インターフェース回路４を通して地震復旧診断運転制御回路２は、地震復旧診断運転を中止する（ステップＳ６）。また、専門技術者が携帯しているパソコン、携帯電話等からなる保守用端末７から遠隔監視装置６を経由して遠隔監視装置用インターフェース回路５を通して地震復旧診断運転中止指令が来たら（ステップＳ２）、地震復旧診断運転制御回路２は、地震復旧運転を中止する（ステップＳ６）。この時、保守用端末７は、その表示部に微速診断、手動速診断、全速診断等の状態を表示して、地震復旧運転を中止するかどうかを判断する。また、地震復旧の診断運転開始後の時間を保守用端末７に表示し、地震復旧運転を中止するかどうかを判断する。また、遠隔監視センター９から公衆回線８及び遠隔監視装置６を経由して遠隔監視装置用インターフェース回路５を通して地震復旧診断運転中止指令が来たら（ステップＳ３）、地震復旧診断運転制御回路２は、地震復旧運転を中止する（ステップＳ６）。また、管制運転入力装置１１より管制運転入力装置用インターフェース回路１０を通して火災・冠水等の管制運転動作の指令信号が来たら（ステップＳ４）、地震復旧診断運転制御回路２は、地震復旧運転を中止する（ステップＳ６）。なお、上記Ｓ１〜Ｓ４の動作は、地震復旧診断運転が終了するまで繰り返される（ステップＳ５）。
【００１５】
以上のように、地震自動復旧の診断運転実施中に専門技術者が現場に到着し、安全確認を実施して本復旧作業を行いたい場合や、他の管制運転が動作した場合等、地震自動復旧の診断運転を中止したい場合に、即座に中止することができ、地震発生時に超多忙となる専門技術者を無駄に待たせる必要がなくなるという効果がある。
【図面の簡単な説明】
【００１６】
【図１】この発明の実施の形態１におけるエレベータの地震復旧運転装置を示すシステム構成図である。
【図２】この発明の実施の形態１におけるエレベータの地震復旧運転装置の動作を説明するためのフローチャートである。
【符号の説明】
【００１７】
１  エレベータの制御盤
２  地震復旧診断運転制御回路
３  保守中スイッチ（地震復旧診断運転中止手段）
４  保守中スイッチ用インターフェース回路
５  遠隔監視装置用インターフェース回路
６  遠隔監視装置
７  保守用端末（地震復旧診断運転中止手段）
８  公衆回線
９  遠隔監視センター（地震復旧診断運転中止手段）
１０  管制運転入力装置用インターフェース回路
１１  管制運転入力装置（地震復旧診断運転中止手段）
【図１】
0004708213.tif 000002
【図２】
0004708213.tif 000003